(57)【要約】【課題】認証情報を入力する部材における指紋の跡を目立ち難くする。【解決手段】このセキュリティ装置は、ユーザーの指が挿入可能な大きさの複数の穴を有する板状部材と、前記指が前記複数の穴のうちのどの穴に挿入されたかを検知するセンサと、を備え、前記指が前記複数の穴にどのような順で挿入されたかに応じて認証を行う。【選択図】図４
2018022418.tif 000002
【特許請求の範囲】
【請求項１】
セキュリティ装置であって、
ユーザーの指が挿入可能な大きさの複数の穴を有する板状部材と、
前記指が前記複数の穴のうちのどの穴に挿入されたかを検知するセンサと、
を備え、
前記指が前記複数の穴にどのような順で挿入されたかに応じて認証を行う、
セキュリティ装置。
【請求項２】
請求項１に記載のセキュリティ装置であって、
前記板状部材は、
下部が前記ユーザーの手前側、上部が前記ユーザーの奥側となるように斜めに配置されており、
各穴の下部に前記板状部材の傾きよりも水平に近い傾きを有する片部を有し、
前記センサは、前記片部に前記指が接触したことを検知するセンサである、
セキュリティ装置。
【請求項３】
請求項１または２に記載のセキュリティ装置であって、
前記板状部材は透明であり、
さらに、前記各穴に割り当てられた記号を前記ユーザーが前記板状部材を通して視認可能なように前記板状部材の奥側に配置される壁に投射する投射部を備える、
セキュリティ装置。
【請求項４】
請求項１または２に記載のセキュリティ装置であって、さらに、
前記各穴に割り当てられた記号を前記板状部材に投射する投射部を備える、
セキュリティ装置。
【請求項５】
請求項２に記載のセキュリティ装置であって、さらに、
前記各穴に割り当てられた記号を前記片部に投射する投射部を備える、
セキュリティ装置。
【請求項６】
請求項１から５のいずれか一項に記載のセキュリティ装置であって、
前記板状部材は、透明である、
セキュリティ装置。
【請求項７】
セキュリティ装置であって、
上側または下側にユーザーの指が接触可能な１枚以上の板であって、前記板の上に前記指を接触させるべき位置としての複数の接触位置が設定されており、前記板の上側及び下側を通して前記板の奥側が視認可能な板と、
前記板を支持する支持部と、
前記指が前記板の前記複数の接触位置のうちのどの接触位置に接触されたかを検知するセンサと、
を備え、
前記指が前記板の前記複数の接触位置のうちのどの接触位置にどのような順で接触されたかに応じて認証を行う、
セキュリティ装置。
【請求項８】
請求項７に記載のセキュリティ装置であって、さらに、
前記各接触位置に割り当てられた記号を前記板に投射する投射部を備える、セキュリティ装置。
【発明の詳細な説明】
【技術分野】
【０００１】
本発明は、セキュリティ装置に関する。
【背景技術】
【０００２】
特許文献１には、ユーザーによって、タッチパネルの接触面が複数回接触されると、接触された領域の順序が検出され、領域順序データとして予め記憶された順序と比較される認証装置が記載されている。接触された領域の順序が一致していれば、パスワードが認証され、パネルロックモードが解除されることが開示されている。
【先行技術文献】
【特許文献】
【０００３】
【特許文献１】特開２０１３−１３８８８９号公報
【発明の概要】
【発明が解決しようとする課題】
【０００４】
タッチパネルの接触面に指が複数回接触されると、指の接触したところに指の指紋の跡が残り、接触面が見苦しくなる場合がある。そのため、指紋の跡を付着し難くする、あるいは、付着した指紋の跡を目立ち難くする技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、セキュリティ装置が提供される。このセキュリティ装置は、ユーザーの指が挿入可能な大きさの複数の穴を有する板状部材と、前記指が前記複数の穴のうちのどの穴に挿入されたかを検知するセンサと、を備え、前記指が前記複数の穴にどのような順で挿入されたかに応じて認証を行う。
この形態によれば、ユーザーの指が板状部材の複数の穴にどのような順で挿入されたかによって認証が行われるので、ユーザーは、板状部材の表面に指を接触させる必要はなく、板状部材の表面にユーザーの指の指紋の後が付着し難い。
【０００７】
（２）上記形態のセキュリティ装置において、下部が前記ユーザーの手前側、上部が前記ユーザーの奥側となるように斜めに配置されており、各穴の下部に前記板状部材の傾きよりも水平に近い傾きを有する片部を有し、前記センサは、前記片部に前記指が接触したことを検知するセンサであってもよい。
この形態によれば、指紋の後が残るのは、片部の上側であり、この場所は、水平方向からは視認し難い場所であるので、指紋の後が残っても片部が汚れても目立ち難く、壁部（背面）の視認性は低下しない。またユーザーに接触感を与えることができる。
【０００８】
（３）上記形態のセキュリティ装置において、前記板状部材は透明であり、さらに、前記各穴に割り当てられた記号を前記ユーザーが前記板状部材を通して視認可能なように前記板状部材の奥側に配置される壁に投射する投射部を備えてもよい。
この形態によれば、板状部材は透明であり、板状部材に記号を投射せず、壁に符号を投射するので、板状部材の奥側に配置される壁の視認性の低下を抑制できる。
【０００９】
（４）上記形態のセキュリティ装置において、さらに、前記各穴に割り当てられた記号を前記板状部材に投射する投射部を備えてもよい。
この形態によれば、ユーザーが板状部材を見る視点が異なっても穴と記号との位置関係が変わらないので穴１１０と符号の対応関係がわかり易い。
【００１０】
（５）上記形態のセキュリティ装置において、さらに、前記各穴に割り当てられた記号を前記片部に投射する投射部を備えてもよい。
この形態によれば、片部に記号が表示されるので、穴（片部）と記号との位置関係が変わらない。また板状部材を通した板状部材の奥側の視認性の低下を抑制できる。
【００１１】
（６）上記形態のセキュリティ装置において、前記板状部材は、透明であってもよい。
透明な板状部材は、透明でない板状部材よりも指紋の跡が目立ちやすいので、穴により板状部材の表面に指紋の跡が付着することを抑制する効果が大きい。
【００１２】
（７）本発明の一形態によれば、セキュリティ装置が提供される。このセキュリティ装置は、上側または下側にユーザーの指が接触可能な１枚以上の板であって、前記板の上に前記指を接触させるべき位置としての複数の接触位置が設定されており、前記板の上側及び下側を通して前記板の奥側が視認可能な板と、前記板を支持する支持部と、前記指が前記板の前記複数の接触位置のうちのどの接触位置に接触されたかを検知するセンサと、を備え、前記指が前記板の前記複数の接触位置のうちのどの接触位置にどのような順で接触されたかに応じて認証を行う。
この形態によれば、指が接触されるのが板の上側または下側なので、板にしか指紋の跡が残らず、指紋の後が目立ち難い。また、板の上側及び下側を通して板の奥側を視認可能なので、板の奥側の視認性を阻害しにくい。
【００１３】
（８）上記形態のセキュリティ装置において、さらに、前記各接触位置に割り当てられた記号を前記板に投射する投射部を備えてもよい。
この形態によれば、板に記号が投射されるので、ユーザーの視点が異なっても指の挿入位置と記号との位置関係が変わらない。
【００１４】
なお、本発明は、種々の形態で実現することが可能であり、例えば、セキュリティ装置の他、認証装置、タッチパネル等の形態で実現することができる。
【図面の簡単な説明】
【００１５】
【図１】第１実施形態におけるセキュリティ装置を示す説明図。
【図２】セキュリティ装置の側面視。
【図３】第１実施形態におけるユーザー視点から見た板状部材の状態を示す図。
【図４】ユーザーの指が挿入されたときのセキュリティ装置の側面視。
【図５】第１実施形態の変形例１のセキュリティ装置の側面視。
【図６】変形例１におけるユーザー視点から見える板状部材の状態を示す図。
【図７】第２実施形態におけるセキュリティ装置の側面視。
【図８】第２実施形態のセキュリティ装置をユーザー側の水平方向（図７のＶＩＩＩの方向）から見たときの板状部材を示す図。
【図９】第２実施形態のセキュリティ装置を鉛直上側（図７のＩＸの方向）の方から見たときの板状部材を示す図。
【図１０】第２実施形態において指が挿入されたときのセキュリティ装置の側面視。
【図１１】第２実施形態において指紋の跡が付着したときのセキュリティ装置の側面視。
【図１２】第３実施形態のセキュリティ装置の斜視図。
【図１３】第３実施形態の変形例（変形例２）のセキュリティ装置の斜視図。
【図１４】第３実施形態の変形例（変形例３）のセキュリティ装置の斜視図。
【図１５】第３実施形態の変形例（変形例４）のセキュリティ装置の斜視図。
【図１６】第３実施形態の変形例（変形例５）のセキュリティ装置の斜視図。
【発明を実施するための形態】
【００１６】
・第１実施形態：
図１は、第１実施形態におけるセキュリティ装置１０を示す説明図である。第１施形態では、セキュリティ装置１０は、例えば、美術館に設置されることによって、館員用の出入り口の開錠を制御する装置である。なお、セキュリティ装置１０は、事業所あるいは倉庫などの出入り口に設置されて、それらの出入り口の開錠を制御してもよい。また、セキュリティ装置１０は、労働時間を記録するタイムレコーダに備えられてもよい。そのような態様においては、セキュリティ装置１０は、社員から認証情報が入力されることにより、タイムレコーダに、認証情報で特定された個人の労働時間の開始および終了を記録させる。
【００１７】
セキュリティ装置１０は、板状部材１００と、突出部３１０と、投射部２００と、赤外線センサ２５０と、を備える。板状部材１００は、複数の穴１１０を有する透明な板状の部材である。板状部材１００が透明であれば、ユーザーが板状部材１００を通して、板状部材１００の奥側、例えば奥側の壁３００を見ることができる。なお、板状部材１００は、透明でなくてもよい。複数の穴１１０は、それぞれユーザーの指が挿入可能な大きさを有している。第１実施形態では、板状部材１００は、穴１１０として、３行４列の１２個の穴１１０を有しているが、穴１１０の個数や配置は任意である。なお、第１実施形態では、穴１１０への指の挿入順で認証情報が入力される。したがって、穴１１０の数が１個の場合には、挿入順が決められないので、穴１１０の数は２個以上であることが好ましい。なお、ユーザーは、穴１１０へ指を挿入して認証情報を入力する場合、入力の途中で穴１１０から指を抜いた後、同一の穴１１０に連続して指を挿入する場合があっても良い。セキュリティ装置１０は、ユーザーの指が板状部材１００のどの穴１１０にどの順番で指が挿入されたか、によって入力される認証情報を用いてユーザーの認証を行う。
【００１８】
図１において、壁３００は、セキュリティ装置１０が設置された美術館の館内の壁であり、セキュリティ装置１０の奥側に位置している。突出部３１０は、壁３００より水平方向に突出しており、重力方向上側を向いた面３１５を有する。なお、突出３１０の突出方向は、水平でなくても良い。また、図１に示す例では、面３１５は水平であるが、面３１５は水平でなくてもよい。第１実施形態では、板状部材１００は、突出部３１０の面３１５の上に設置される態様である。突出部３１０は、板状部材１００の穴１１０が床面から０．８ｍ以上１．２ｍ以下の範囲内に収まるように設けられていることが好ましい。穴１１０の高さがこの範囲内であれば、ユーザーは、板状部材１００の穴１１０に指を挿入しやすい。但し、穴１１０の高さはこの範囲の高さでなくてもよい。第１実施形態では、板状部材１００は、突出部３１０の面３１５の上に設置される態様であるが、壁３００と床面に設置される態様であってもよく、壁３００と天井に設置される態様であってもよい。
【００１９】
投射部２００は、ユーザーが穴１１０に指を挿入して認証情報を入力するときにどの穴１１０に指を挿入すべきかを示す符号を壁３００に投射する。ユーザーは、板状部材１００を通して壁３００に投射された符号を視認することができる。ユーザーは、この符号を見て、穴１１０に指を挿入する。赤外線センサ２５０は、ユーザーの指が複数の穴１１０のうちのどの穴１１０に挿入されたかを検知するセンサである。
【００２０】
図２は、セキュリティ装置１０の側面視である。板状部材１００は、その下部が壁３００から突出した突出部３１０の上に取り付けられていることがわかる。図２に示す例では、板状部材１００は、板状部材１００の上部が下部よりも壁３００に近づくように斜めに取り付けられている。板状部材１００と突出部３１０の水平な方向との為す角度をθ１としたとき、θ１は、４５°≦θ１≦１２０°を満たすことが好ましく、４５°≦θ１＜９０°を満たすことがさらに好ましい。θ１が４５°未満の場合には、ユーザーが指（例えば人差し指）を穴１１０に挿入する場合、穴１１０に挿入しない指（例えば中指）が板状部材１００に接触して、板状部材１００に指の跡が付着する可能性がある。また、ユーザーの視点は、指よりも高い位置にある。そのため、θ１が９０°以上であると、ユーザーは、板状部材１００の穴１１０を確認し難くなり、ユーザーが指を穴１１０に挿入する時に誤って板状部材１００に指が接触する可能性がある。また、θ１が１２０°よりも大きいと、ユーザー視点から、板状部材１００の裏側が見えてしまう可能性がある。
【００２１】
投射部２００は、壁３００に各穴１１０に割り当てられた記号２１０を投射する。図２では図示の都合上、記号２１０に厚さがあるかのように図示されているが、壁３００に投射された記号２１０は投射された画像であるため、記号２１０に厚さはない。記号２１０が図示される他の図でも同様である。
【００２２】
図３は、第１実施形態におけるユーザー視点から見た板状部材１００の状態を示す図である。このユーザー視点では、板状部材１００の穴１１０を通して、それぞれの穴１１０に対応する記号２１０がユーザーに見えている。なお、図３では、全ての穴１１０と記号２１０に符号（２１０）を付すと見難くなるので、一番右側の１列にのみ穴１１０と記号２１０の符号番号を付している。他の図においても同様である。第１実施形態では、記号２１０のうち「＊」は、認証情報の入力開始及び入力内容のリセットを行うための記号であり、「＃」は認証情報の入力を完了するための記号である。ユーザーは、「＊」に対応する穴１１０に最初に指を挿入し、その後、認証情報に対応する穴１１０に順番に指を挿入し、最後に「＃」対応する穴１１０に指を挿入して、入力を完了する。ユーザーは、入力を誤った場合には、「＊」に対応する穴１１０に指を挿入して、それまでの入力をリセットして入力し直す。第１実施形態では、記号（認証情報）として数字を用いているが、数字に代えて、あるいは数字に加えてアルファベットを用いてもよい。なお、上述した「＊」や「＃」の記号の意味は、一例である。
【００２３】
図４は、ユーザーの指４００が挿入されたときのセキュリティ装置１０の側面視である。図４に示す例では、図３の３行のうちの真ん中の行の穴１１０にユーザーの指４００が挿入されている。ユーザーが穴１１０に指４００を挿入すると、赤外線センサ２５０が、どの穴１１０に指が挿入されたかを検知する。このときユーザーの指４００は、板状部材１００の表面には接触しないので、板状部材１００にユーザーの指紋の跡が付着しない。なお、穴１１０の内壁には、ユーザーの指４００が接触する場合もあるが、穴１１０の内壁は、ユーザー視点からは見難い位置であるため、穴１１０の内壁に指４００が接触して指紋の跡が付着しても、ユーザー視点からは目立たない。
【００２４】
以上、第１実施形態によれば、セキュリティ装置１０は、ユーザーの指４００が挿入可能な大きさの穴１１０を複数有する板状部材１００と、指４００が複数の穴１１０のうちのどの穴１１０に挿入されたかを検知する赤外線センサ２５０を備える。この結果、ユーザーが穴１１０に指４００を挿入して認証情報を入力するときに、ユーザーの指４００は、板状部材１００の表面には接触しないので、板状部材１００にユーザーの指紋の跡が付着しない。また、ユーザーの指４００が板状部材１００に接触するにしても、その位置は、穴１１０の内壁である。穴１１０の内壁はユーザー視点からは見難い位置にあるため、穴１１０の内壁に指４００が接触して指紋の跡が付いても、ユーザー視点からは目立たない。
【００２５】
なお、第１実施形態のセキュリティ装置１０は、センサとして、赤外線センサ２５０を用いているが、センサとして、赤外線センサ２５０のような光電センサの他、穴１１０の内壁に設けられた接触式のセンサや非接触式のセンサを用いてもよい。接触式センサとしては、例えば、マイクロスイッチセンサが利用可能であり、非接触式センサとしては、例えば、静電容量型のセンサを利用可能である。また、セキュリティ装置１０は、センサ以外の指の挿入を検知する装置として、カメラを用いてもよい。
【００２６】
また、第１実施形態では、板状部材１００に記号２１０を投射せず、壁３００に記号２１０を投射するので、板状部材１００に半透明な層を設ける必要がなく、板状部材１００の奥側に配置される壁３００の視認性の低下を抑制できる。
【００２７】
図５は、第１実施形態の変形例１のセキュリティ装置１０ａの側面視である。第１実施形態のセキュリティ装置１０では、投射部２００は、図２に示すように壁３００に記号２１０を投射しているが、変形例１のセキュリティ装置１０ａでは、板状部材１００に記号２１０を投射している点が異なる。変形例１では、板状部材１００の記号２１０が投射される位置は、投射された光が拡散してユーザーが視認できるように例えば半透明に形成されている。半透明であれば、不透明にするよりも、板状部材１００の奥側に配置される壁３００の視認性の低下を抑制できる。
【００２８】
図６は、変形例１におけるユーザー視点から見える板状部材１００の状態を示す図である。変形例１では、穴１１０の下側に記号２１０が表示されている。ここで、穴１１０に対応する記号２１０の表示位置は、穴１１０の下側以外の位置、例えば穴１１０の上側、左側、右側など、穴１１０の周りであれば、どの位置でも良い。但し、ある穴１１０について、穴１１０の上側にその穴１１０に対応する記号２１０を投射する場合には、他の穴１１０についても穴１１０の上側に対応する記号２１０を投射するように、記号２１０は、板状部材１００に規則正しく投射されることが好ましい。
【００２９】
第１実施形態のセキュリティ装置１０では、投射部２００は壁３００に記号２１０を投射し、ユーザーは、板状部材１００を通して記号２１０を見る。かかる場合、ユーザー視点の位置によっては、穴１１０と記号２１０の対応関係がわかり難い場合がある。変形例１によれば、記号２１０は、板状部材１００に投射されるため、ユーザー視点の位置によらず、穴１１０と記号２１０の位置関係が変わらない。その結果、穴１１０と記号２１０の対応関係がわかり易い。
【００３０】
第１実施形態及び変形例１では、投射部２００で記号２１０を投射しているが、記号２１０は、板状部材１００に投射ではなくて直接描かれていてもよい。また、板状部材１００に記号２１０を描かない構成であってもよい。記号２１０が描かれていなくても、ユーザーが認証情報を入力することは、可能だからである。これらの場合、セキュリティ装置１０は、投射部２００を備えなくても良い。
【００３１】
・第２実施形態：
図７は、第２実施形態におけるセキュリティ装置１０ｂの側面視である。図２に示す第１実施形態のセキュリティ装置１０と比較すると、第２実施形態におけるセキュリティ装置１０ｂは、穴１１０の下部に片部１２０を備える点、投射部２００が片部１２０に記号２１０を投射している点、及び、片部１２０の上側にタッチセンサ２５２を備える点が異なる。
【００３２】
セキュリティ装置１０ｂの板状部材１００は、下部がユーザーの手前側、上部がユーザーの奥側となるように斜めに配置されており、上部は、壁３００と接続されている。但し、板状部材１００の上部は、壁３００と接続されていなくても良い。ここで、板状部材１００と水平な方向との為す角度をθ１としたとき、θ１は、４５°≦θ１≦１２０°を満たすことが好ましく、４５°≦θ１＜９０°を満たすことがさらに好ましい。θ１が４５°未満の場合には、ユーザーが指（例えば人差し指）を穴１１０に挿入する場合、穴１１０に挿入しない指（例えば中指）が板状部材１００に接触して、板状部材１００に指の跡が付着する可能性がある。また、ユーザーの視点は、指よりも高い位置にある。そのため、θ１が９０°よりも大きいと、ユーザーは、板状部材１００の穴１１０を確認し難くなり、ユーザーが指を穴１１０に挿入する時に板状部材１００に指が接触する可能性がある。また、θ１が１２０°よりも大きいと、ユーザー視点から、板状部材１００の裏側の片部１２０が見えてしまう可能性がある。
【００３３】
片部１２０は、穴１１０の下部に、水平に設けられている。片部１２０の幅方向の大きさは、穴１１０の幅とほぼ同じであり、片部１２０の奥行き方向の大きさは、指４００の第１関節から指先までの長さとほぼ同じか、指４００の第１関節から指先までの長さよりも少し短いことが好ましい。片部１２０には、タッチセンサ２５２が設けられている。タッチセンサ２５２は、例えば、マイクロスイッチや、感圧センサにより構成されている。このように構成すれば、指４００の第１関節が穴１１０を通過する前に指先がタッチセンサ２５２に接触するので、ユーザーは、それ以上指４００を穴１１０の奥に挿入しない。その結果、穴１１０の挿入した以外の他の指が板状部材１００に接触することを抑制できる。
【００３４】
図８は、第２実施形態のセキュリティ装置１０ｂをユーザー側の水平方向（図７のＶＩＩＩの方向）から見たときの板状部材１００を示す図である。図９は、第２実施形態のセキュリティ装置１０ｂを鉛直上側（図７のＩＸの方向）の方から見たときの板状部材１００を示す図である。図８に示す水平方向から見た時には、片部１２０は、視線の方向とほぼ平行であるため、片部１２０が見えない。一方、図９に示す鉛直上側から見た時には、視線の方向が片部１２０の法線方向であるため、穴１１０の内部に片部１２０が見えており、片部１２０に、記号２１０が投射されていることが認識可能である。
【００３５】
図１０は、第２実施形態において指４００が挿入されたときのセキュリティ装置１０ｂの側面視である。図１０に示す例では、図７に示す穴１１０が形成する３行のうちの真ん中の行の穴１１０に指４００が挿入されている。セキュリティ装置１０ｂは、片部１２０に設けられたタッチセンサ２５２にユーザーの指４００が接触したときに、片部１２０が設けられた穴１１０にユーザーの指４００が挿入されたと検知する。ユーザーの指４００は、タッチセンサ２５２及び片部１２０の上側には接触するが、板状部材１００の表面には接触しない。指４００が接触した位置には、指４００の指紋の跡が付着する場合がある。
【００３６】
図１１は、第２実施形態において指紋の跡４１０が付着したときのセキュリティ装置１０ｂの側面視である。図１１では、図が見難くなるため、タッチセンサ２５２の図示を省略している。ユーザーの指４００は、タッチセンサ２５２及び片部１２０の上側に接触するので、片部１２０の上側には、指紋の跡４１０が付着する。この場合、図９に示すように、セキュリティ装置１０ｂを鉛直上側（ＩＸの方向）の方から見たときには、片部１２０が見える。かかる場合、指紋の跡４１０も見える。一方、図８に示すように、セキュリティ装置１０ｂをユーザー側の水平方向（ＶＩＩＩの方向）から見たときには、片部１２０が見えないため、指紋の跡４１０も見えない。
【００３７】
以上、第２実施形態によれば、板状部材１００は、下部がユーザーの手前側、上部がユーザーの奥側となるように斜めに配置されており、穴１１０の下部に水平な片部を有する。ユーザーの指４００が穴１１０に挿入されたとき、指４００は片部１２０に接触して、片部１２０の上側には、指紋の跡４１０が付着するが、セキュリティ装置１０ｂをユーザー側の水平方向（ＶＩＩＩの方向）から見たときには、片部１２０が見えないため、指紋の跡４１０も見えず、指紋の跡４１０が目立ち難い。なお、第２実施形態のセキュリティ装置１０ｂでは、片部１２０が水平なものを例にとって説明しているが、片部１２０は、板状部材１００の傾きよりも水平に近い傾きを有するものであってもよい。この場合、穴１１０は、指４００の挿入のし易さからユーザー視点よりも低い位置にあるので、片部１２０は、ユーザー側が高く、奥側が低く形成されていることが好ましい。片部１２０の傾きがこのようであれば、ユーザー視点から片部１２０が見え難く、片部１２０の上の指紋の跡４１０も目立たない。
【００３８】
第２実施形態においては、ユーザーの指４００を検知するセンサとして接触式のセンサであるタッチセンサ２５２を用いているが、第１実施形態と同様に、赤外線センサなどの光電センサや、非接触式のセンサを用いてもよく、センサの代わりにカメラを用いても良い。また、第２実施形態においては、投射部２００は、片部１２０に記号２１０を投射しているが、板状部材１００の穴１１０の周りや壁３００に記号２１０を投射してもよい。また、片部１２０に記号２１０を描き、投射部２００を備えない構成としても良い。片部１２０に記号２１０を描かない構成であってもよい。
【００３９】
・第３実施形態：
図１２は、第３実施形態のセキュリティ装置１０ｃの斜視図である。第３実施形態のセキュリティ装置１０ｃは、３枚の板１２１と、支持部１４０と、突出部３１０と赤外線センサ２５０とを備える。突出部３１０は、壁３００より水平方向に突出しているとともに、重力方向上側を向いた面３１５を有する。３枚の板１２１は、互いに平行であり、その上側、下側及び隣接する２枚の板１２１の間にユーザーの指４００が挿入可能な空間１１１を形成し、指４００は、板１２１の上側にユーザーの指４００を接触させる接触位置が設定されている。指４００の接触位置は、板１２１の下側に設定されていても良いが、指４００の接触し易さからは、板１２１の上側に指４００に接触位置を設定する構成が好ましい。板１２１の上には、記号２１０が表示されている。記号２１０が表示される位置は、ユーザーが指４００を板１２１に接触させるべき接触位置として設定された位置である。この記号２１０は、例えば、第1実施形態あるいは第２実施形態のように、投射により表示させても良く、板１２１に直接描いても良い。また、記号２１０を板に描かない態様であってもよい。３枚の板１２１は、板１２１の上側及び下側を通して板１２１の奥側（壁３００）が視認可能なように、面３１５の上方に設けられている。なお、なお、３枚の板１２１と面３１５とは、平行であることが好ましいが、平行でなくてもよい。支持部１４０は、左右方向の両側から板１２１を挟むようにして板１２１を支持している。赤外線センサ２５０は、どの板１２１に対してどの位置にユーザーの指４００が接触されたかを検知する。なお、第１実施形態と同様に、センサとして、赤外線センサ２５０のような光電センサの他、板１２１の上側または下側に設けられた接触式のセンサや非接触式のセンサを用いてもよい。また、カメラを用いてもよい。
【００４０】
第３実施形態によれば、指４００が接触されるのが板１２１の上側または下側である。その結果、板１２１にしか指紋の跡が残らず、水平な方向から見た時に、指紋の後が目立ち難い。なお、一番下の板１２１と面３１５との間の間隔を指４００が入らない間隔にしておけば、指４００が誤って面３１５に接触するのを抑制できる。
【００４１】
また、第３実施形態板では、板１２１の上側及び下側を通して板１２１の奥側を視認可能なので、板１２１の奥側の視認性を阻害しにくい。
【００４２】
図１３は、第３実施形態の変形例（変形例２）のセキュリティ装置１０ｄの斜視図である。この変形例２のセキュリティ装置１０ｄは、第３実施形態のセキュリティ装置１０ｃと比較すると、支持部１４０の形状が異なっているが、他の構成は同じである。第３実施形態のセキュリティ装置１０ｃでは、支持部１４０の法線方向は、板１２１と平行であるが、変形例２のセキュリティ装置１０ｄでは、支持部１４０は、第１実施形態の板状部材１００と同様な斜めに傾いた板で形成されており、支持部１４０の法線の方向は、板１２１と平行でない。
【００４３】
この変形例２についても、第３実施形態と同様に、指４００が接触されるのが板１２１の上側または下側なので、板１２１にしか指紋の跡が残らず、ユーザー視点から見て指紋の後が目立ち難い。なお、一番下の板１２１と面３１５との間の空間１１１の間隔を指４００が入らない間隔にしておけば、指４００が接触するのを板１２１だけにできる。また、変形例２では、板１２１の上側及び下側を通して板１２１の奥側を視認可能なので、板１２１の奥側の視認性を阻害しにくい。
【００４４】
図１４は、第３実施形態の変形例（変形例３）のセキュリティ装置１０ｅの斜視図である。この変形例３のセキュリティ装置１０ｅは、第３実施形態のセキュリティ装置１０ｃと比較すると、支持部１４０の形状が異なるが、他の構成は同じである。第３実施形態のセキュリティ装置１０ｃでは、支持部１４０は板状の部材であるが、変形例３のセキュリティ装置１０ｅでは、支持部１４０は、棒状の部材で形成されている。この変形例３についても、第３実施形態や変形例２と同様に、板１２１にしか指紋の跡が残らず、ユーザー視点から見て指紋の後が目立ち難い。また、板１２１の上側及び下側を通して板１２１の奥側を視認可能なので、板１２１の奥側の視認性を阻害しにくい。
【００４５】
図１５は、第３実施形態の変形例（変形例４）のセキュリティ装置１０ｆの斜視図である。この変形例４のセキュリティ装置１０ｆは、第３実施形態のセキュリティ装置１０ｃと比較すると、支持部１４０の形状が異なるが、他の構成は同じである。第３実施形態のセキュリティ装置１０ｃの支持部１４０は、直線で構成された板状の形状を有しているが、この変形例４のセキュリティ装置１０ｆの支持部１４０は、曲線で構成された板状の形状を有している。この変形例４においても、第３実施形態と同様に、板１２１にしか指紋の跡が残らず、ユーザー視点から見て指紋の後が目立ち難い。また、板１２１の上側及び下側を通して板１２１の奥側を視認可能なので、板１２１の奥側の視認性を阻害しにくい。
【００４６】
図１６は、第３実施形態の変形例（変形例５）のセキュリティ装置１０ｇの斜視図である。この変形例５のセキュリティ装置１０ｇは、第３実施形態のセキュリティ装置１０ｃと比較すると、板１２１の数が１枚であり、幅方向に大きくなっている点が異なるが、他の構成は同じである。板１２１は、その上側にユーザーの指４００が接触すべき接触位置が設定されており、板１２１の上側及び下側を通して板１２１の奥側（壁３００）が視認可能なように設けられている。なお、接触位置は、板１２１の下側に設定されていても良い。
【００４７】
この変形例５についても、第３実施形態と同様に、指４００が接触されるのが板１２１の上側または下側なので、板１２１にしか指紋の跡が残らず、ユーザー視点から見て指紋の後が目立ち難い。また、変形例５では、板１２１の上側及び下側を通して板１２１の奥側を視認可能なので、板１２１の奥側の視認性を阻害しにくい。
【００４８】
以上、第３実施形態及びその変形例２〜５を考慮すると、セキュリティ装置は、上側又は下側にユーザーの指が接触可能な１枚以上の板１２１であって、板１２１の上に指４００を接触させるべき位置としての複数の接触位置が設定されており、板１２１の上側及び下側を通して板１２１の奥側が視認可能な板１２１と、板１２１を支持する支持部１４０と、指４００が板１２１に対してどの位置に接触されたかを検知する赤外線センサ２５０を備える。ユーザーは、指４００を板１２１のみに接触させて認証情報を入力するので、板１２１にしか指紋の跡が残らず、ユーザー視点から見て指紋の後が目立ち難い。また、板１２１の上側及び下側を通して板の奥側を視認可能なので、板１２１の奥側の視認性を阻害しにくい。
【００４９】
本発明は、上述実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００５０】
１０…セキュリティ装置
１０ａ…セキュリティ装置
１０ｂ…セキュリティ装置
１０ｃ…セキュリティ装置
１０ｄ…セキュリティ装置
１０ｅ…セキュリティ装置
１０ｆ…セキュリティ装置
１０ｇ…セキュリティ装置
１００…板状部材
１１０…穴
１１１…空間
１２０…片部
１２１…板
１４０…支持部
２００…投射部
２１０…記号
２５０…赤外線センサ
２５２…タッチセンサ
３００…壁
３１０…突出部
３１５…面
４００…指
４１０…指紋の跡
θ１…板状部材と水平な方向とが為す角
【図１】
2018022418.tif 000003
【図２】
2018022418.tif 000004
【図３】
2018022418.tif 000005
【図４】
2018022418.tif 000006
【図５】
2018022418.tif 000007
【図６】
2018022418.tif 000008
【図７】
2018022418.tif 000009
【図８】
2018022418.tif 000010
【図９】
2018022418.tif 000011
【図１０】
2018022418.tif 000012
【図１１】
2018022418.tif 000013
【図１２】
2018022418.tif 000014
【図１３】
2018022418.tif 000015
【図１４】
2018022418.tif 000016
【図１５】
2018022418.tif 000017
【図１６】
2018022418.tif 000018